Podtech/llm-jp-corpus-v4-ja_patent huggingface dataset:
(57)【要約】【課題】流し台ごみ容器には外周および底面に水切り用の穴が多数あいているが水切りネットが容器いっぱいに広がる構造・サイズのため、ごみが入るとネットが容器の壁に密着し、ネットおよびごみ自体が水切り用の穴を塞ぐこととなり、水切れを阻害し、水切り性が悪く、さらには水が詰まるという不具合を発生させていた。本発明は以上の問題点を解決するための使い捨て用水切りネットを提供する。【解決手段】直径が流し台ごみ容器のフランジにかぶせる部分以外はごみ容器の内径より小さくなるよう円錐・円錐台または疑似円錐・円錐台または円錐と円筒を組み合わせた形状にし、またごみを入れたとき外周方向に伸びにくい繊維の配向をした水切りネットをつくり、ごみ容器に装着することにより、水切りネットにごみを入れてもごみ容器の内周の壁と密着せず水が通れる隙間を確保する。【選択図】図４
2013237564.tif 000002
【特許請求の範囲】
【請求項１】
流し台ごみ容器のフランジ部にかぶせる部分以外はごみ容器の内径より小さく、内周の壁面と密着しない円錐・円錐台または疑似円錐・円錐台または円錐と円筒を組み合わせた形状・サイズで、ごみを入れたとき外周方向に伸びにくい繊維の配向をした使い捨て用水切りネット。
【発明の詳細な説明】
【技術分野】
【０００１】  本発明は流し台で使う使い捨て用水切りネットに関するものである。
【背景技術】
【０００２】  従来、流し台ごみ容器の中に装着して使う使い捨て用水切りネットはもともとまたはごみが入ると伸びて流し台ごみ容器いっぱいに広がる構造、サイズにできていた。
【先行技術文献】
【特許文献】
【０００３】
【特許文献１】
【非特許文献１】
【発明の概要】
【発明が解決しようとする課題】
【０００４】  流し台ごみ容器には内周および底面に水切り用の穴が多数あいているが水切りネットが容器いっぱいに広がるサイズのため、ごみが入るとネットが容器の壁に密着し、ネットおよびごみ自体が流し台ごみ容器の水切り用の穴を塞ぐこととなり、水切れを阻害し、水切り性が悪く、さらには水が詰まるという不具合も発生させていた。
本発明は以上の問題点を解決するためのものである。
【課題を解決するための手段】
【０００５】  直径が流し台ごみ容器のフランジにかぶせる部分以外はごみ容器の内径より小さくなるよう円錐・円錐台・円錐と円筒を組み合わせた形状、または２枚の三角形、台形の材料の縁を接合して作る疑似円錐・円錐台にし、さらにごみを入れたとき外周方向に伸びにくい繊維の配向をした水切りネットをつくり、ごみ容器の中に装着することにより、水切りネットにごみを入れてもごみ容器の内周の壁と密着せず水が通れる隙間を確保する。
以上の構造の使い捨て用水切りネット。
【発明の効果】
【０００６】  流し台ごみ容器の使い捨て用水切りネットの水切れが良くなるため、ごみ出しが容易になり、また水の詰まりがなくなり、流し台での作業も楽になる。
さらに、水分が少ない分ごみ焼却のための負荷が減り、環境にも良い。
【図面の簡単な説明】
【０００７】
【図１】本発明の斜視図（円錐台形）
【図２】本発明の斜視図（疑似円錐台形）
【図３】本発明の斜視図（円錐と円筒の組み合わせ形）
【図４】本発明の使用形態を示す図
【発明を実施するための形態】
【０００８】  以下、本発明の実施の形態を説明する。
流し台ごみ容器（３）のフランジ部（４）に本発明の使い捨て用水切りネット（１）をかぶせて装着することにより、水切りネット（１）にごみを入れてもごみ容器（３）の内周の壁と密着せず水が通れる隙間（５）を確保できる。
【符号の説明】
【０００９】  １使い捨て用水切りネット    ２縁（接合部）    ３流し台ごみ容器
４流し台ごみ容器のフランジ部    ５流し台ごみ容器と水切りネットの隙間
【図１】
2013237564.tif 000003
【図２】
2013237564.tif 000004
【図３】
2013237564.tif 000005
【図４】
2013237564.tif 000006
(57)【要約】【課題】従来の発明は、一般的に厚みのある書類を収納すると側辺部が開き気味になり、持ち運ぶ際は脱落防止のために側辺部を上向きにして持つなどの配慮を要するため、本発明はこれらを解消し、比較的厚い書類でも簡易に収納できて、安心して持ち運べるクリアファイルの提供を目的とする。【解決手段】クリアファイルの側辺部３の１面にベルト１を付加し、他面に配置した切り込み２にベルト１を挿入して爪６で固定する構造を持たせることで、薄手の書類から厚みのある書類までを簡易に安定した状態で収納し、キャビネットの整理や持ち運びを容易にする。【選択図】図１
2013237253.tif 000002
【特許請求の範囲】
【請求項１】
本体にベルト及びベルトを抜き差しするための切れ込みを具備することを特徴としたベルト付きクリアファイル。
【発明の詳細な説明】
【技術分野】
【０００１】本発明は、開口した上辺部と側辺部の内、側辺部をベルトで固定して閉じる事ができるようにしたクリアファイルに関する。
【背景技術】
【０００２】従来のクリアファイルは、薄手の書類を挟み込んで簡易収納することを主目的として開発されており、その後に比較的厚手の書類も特許文献１に示すようなリングやクリップ等を付加して、収納・保管できるようなファイルが考案されている。
【先行技術文献】
【特許文献】
【特許文献１】特開２００８−１３２６４５
【０００３】特許文献１に示されるクリアファイルは、上辺部と側辺部に連続する逆Ｌ字状の開口部を設けた厚手のクリアファイルにおいて、側辺部の外側にリングファイルのリングに綴じ込むための綴り孔を有する突出片を設け、クリアファイル本体から書類を自由に取り外しできるようにしたものである。
しかしながら、この特許文献１や機能の類似したファイルは、書類の収納・保管に機能が集中しており、いずれも書類の綴じ込みや取り外し作業に煩雑さを伴う。
【発明の概要】
【発明が解決しようとする課題】
【０００４】従来の発明は、一般的に厚みのある書類を収納すると側辺部が開き気味になり、持ち運ぶ際は脱落防止のために側辺部を上向きにして持つなどの配慮が必要であった。本発明はこれらの煩雑さを解消し、比較的厚い書類でも簡易に収納できて、安心して持ち運べるクリアファイルの提供を目的とする。
【課題を解決するための手段】
【０００５】クリアファイルの側辺部の１面にベルトを付加し、他面に配置した切り込みにベルトを抜き差しして側辺部を開閉できる構造を持たせる。
【発明の効果】ベルトを切り込みに差し込んでファイルの側辺部を閉ざし、ベルトの爪で切り込みに固定することで、薄手の書類から比較的厚みのある書類までを簡易に安定した状態で収納し、キャビネットなどの整理・保管を容易にする。
また、持ち運びの際は、書類の脱落を気にせずに取り扱うことができ、ファイルを閉じる必要がないときは、ベルトを側辺部の内側に折り込んで収めることができる。
尚、ベルト及び切り込みの形状を変化させることによって、機能性やファッション性を訴求でき、ノベリティ商品としても活用できる。
【図面の簡単な説明】
【図１】ベルトを抜いた状態の斜視図
【図２】ベルトでファイルを閉じた状態の斜視図
【図３】下辺部を溶着しない状態の平面展開図
【発明を実施するための形態】
【実施例１】一般的な素材であるポリプロピレン等を一体成型することにより、製造コストの低減を図る。
【実施例２】ベルトの形状をキャラクター化することで、ファンシー性をアピールする。
【実施例３】ベルト通しの切り込み、或いはベルトの爪を複数配列することで、書類の厚みに対して段階的に対応できるようにする。
【実施例４】ベルト通しの切り込みの両端に１ミリ程度の円形加工を施し、裂破するのを防止する。
【符号の説明】１  ベルト
２  切り込み
３  側辺部
４  上辺部
５  下辺部（溶着部）
６  爪
【図１】
2013237253.tif 000003
【図２】
2013237253.tif 000004
【図３】
2013237253.tif 000005
(57)【要約】      （修正有）【課題】日除けと通気性を良くする為の、日除け通気腕カバーを提供する。【解決手段】円筒状の腕カバー１の長手方向の半分を布部２とし、もう半分を網部３とし、布部の端部にクリップ４を設けて、このクリップ４で半袖シャツの端を挟んで保持する、日除け通気腕カバーであり、布部２の端部近くに開口部を開設し、そこにクリップ４を設け、腕カバーを腕に通し、着衣している半袖シャツの袖口にクリップ４で挟んで止めることにより、車の運転中において、日光が照射されている腕の上部は布部２で遮蔽されるし、腕の下部は網部３であるため通気性がよく、又、カバーの両端部にゴムひもなどの弾性材が設けられていないので腕が締め付けられるなどの圧迫による不快感もなく、両端部は開放されているのでさらに通気性が良い日除け通気腕カバー。【選択図】図１
2013237961.tif 000002
【特許請求の範囲】
【請求項１】
腕カバーの長手方向の半分を布部、もう半分を網部とし、布部の端部にクリップを設けて、このクリップで半袖シャツの端を挟んで止めることを特徴とする日除け通気腕カバー。
【請求項２】
腕カバーの布部の端部近くに開口部を開設し、この開口部にクリップを設けたことを特徴とする請求項１記載の日除け通気腕カバー。
【発明の詳細な説明】
【技術分野】
【０００１】  本発明は、日除けと通気を良くする目的でなされた、日除け通気腕カバーに関するものである。
【背景技術】
【０００２】  従来、日除けと通気を目的とした腕カバーがある。
【発明の概要】
【発明が解決しようとする課題】
【０００４】  従来は次のような問題点があった。
腕カバーの両端部にゴムなどの弾性材を設けたものがあり、それで腕を締め付けて腕カバーを保持させているため、そこで通気が阻害されてしまい、また圧迫感で不快でもあるし着脱性も悪い。
本発明は、以上の問題点を解決しようとするものである。
【課題を解決するための手段】
【０００５】  円筒状の腕カバーの長手方向の半分を布部とし、もう半分を網部とする。
布部の端部にクリップを設けて、このクリップで半袖シャツの端を挟んで保持する。
以上を特徴とする日除け通気腕カバーである。
【発明の効果】
【０００６】  夏期のドライブなどでハンドルを握る腕に窓から太陽光が照射され腕が暑くなるが、本発明は太陽光が照射される腕の上面は布部でカバーされるし、下部は網状であるため通気が良く、そこから体温を逃がす。
又、腕カバーの両端部にはゴムなどの弾性材が設けられてない為に開放されており、さらに通気性がよく腕を締め付けられるなどの圧迫による不快感もないし、着脱も簡単である。
【図面の簡単な説明】
【０００７】
【図１】本発明の斜視図である。
【図２】本発明の斜視図である。
【図３】本発明の使用状態を示す斜視図である。
【発明を実施するための形態】
【０００８】    以下、本発明の実施の形態について説明する。
（イ）円筒状である腕カバー（１）の長手方向の半分を布部（２），もう半分を網部（３）とし、布部（２）の端部にクリップ（４）を設ける。
（ロ）又、別な構成として、布部（２）の端部近くに開口部（５）を開設し、そこにクリップ（４）を設ける。
本発明は、以上の構成よりなっている。
本発明を使用するときは本腕カバーを腕に通し、着衣している半袖シャツ（６）の袖口にクリップ（４）で挟んで止める。
運転中に日光が照射されている腕の上部は布部（２）で遮蔽されるし、腕の下部は網部（３）であるため通気性がよい。
又、本発明には従来の腕カバーのように両端部にゴムひもなどの弾性材が設けられていないので腕が締め付けられるなどの圧迫による不快感もなく、両端部は開放されているのでさらに通気性が良い。なお、開口部（５）を開設してそこにクリップ（４）を設けた構成の腕カバーが考えられるが、これは腕カバーの端部が半袖シャツ（６）の袖口に重なるので、肘が露出するなどの違和感がない。
【符号の説明】
【０００９】  １  腕カバー    ２  布部    ３  網部    ４  クリップ    ５  開口部
６  半袖シャ
【図１】
2013237961.tif 000003
【図２】
2013237961.tif 000004
【図３】
2013237961.tif 000005
(57)【要約】      （修正有）【課題】ベースとなる布地に複雑な文様を形成する場合でも、縫製に比べて容易に短時間に製造することが可能な模様付き織布を提供する。【解決手段】ベース布地１と、ベース布地１上に設けられた模様部分２と、ベース布地１及び模様部分２全体を覆うように設けられた透かし布３と、ベース布地１と模様部分２境界の部分でベース布地１と模様部分２と透かし布３を接結する接結部４をジャカード織機やドビー織機により一体的に織り上げた模様付き織布。【選択図】図１
2013237940.tif 000002
【特許請求の範囲】
【請求項１】
ベース布地と、このベース布地上に設けられた模様部分と、前記ベース布地及び前記模様部分全体を覆うように設けられた透かし布と、前記ベース布地と前記模様部分の境界の部分で前記ベース布地と前記模様部分と前記透かし布を接結する接結部をジャカード織機やドビー織機により一体的に織り上げた構成としたことを特徴とする模様付き織布。
【請求項２】
前記透かし布は織り目を荒くするか細い糸を使用することで反対側が透けて見えるように織り上げた布であることを特徴とする模様付き織布。
【発明の詳細な説明】
【技術分野】
【０００１】
本発明は、布地に各種の模様（柄）を施した模様付き織布に関するもので、特にベースとなる布地に、厚みを持つ模様を形成する模様付き織布に関するものである。
【背景技術】
【０００２】
ベースとなる布地に厚みを持つ模様を形成する従来の技術として、例えば特許文献１に開示されるものがある。
この特許文献１に開示される技術は、ベース（土台）となる布地（以下ベース布地）に模様となるアップリケ布とほぼ同形状のキルト綿を載せ、キルト綿の外形に沿ってキルト綿をベース布地にミシンで縫い付け、そのキルト綿上にアップリケ布を載せて、アップリケ布の外形に沿ってアップリケ布をベース布地にミシンで縫い付けた後、アップリケ布の外周縁にミシンで刺繍縫いを施すことによりベースとなる布地に厚みを持つ模様を形成するものとなっている。
【先行技術文献】
【特許文献】
【０００３】
【特許文献１】特開２００９−１１５９４号公報
【発明の概要】
【発明が解決しようとする課題】
【０００４】
しかしながら、上述した従来の技術においては、予め所望の形状に切った模様用のアップリケ布をベース布地にキルト綿を挟んで縫い付けるという単純なものであるので、複雑な文様を形成することが難しく、複雑な文様を形成しようとすると、縫製に多大な手間と時間を要することになって高価なものと成り、縫製に多大な手間と時間を要する割にはデザイン性に優れた製品が得られないという問題がある。
本発明は、このような問題を解決することを課題とする。
【課題を解決するための手段】
【０００５】
そのため、本発明の模様付き織布は、ベース布地と、このベース布地上に設けられた模様部分と、前記ベース布地及び前記模様部分全体を覆うように設けられた透かし布と、前記ベース布地と前記模様部分の境界の部分で前記ベース布地と前記模様部分前記と透かし布を接結する接結部をジャカード織機やドビー織機により一体的に織り上げた構成としたことを特徴とする。
【発明の効果】
【０００６】
このようにした本発明は、ベースとなる布地に複雑な文様を形成する場合でも、縫製に比べて容易に短時間に製造することが可能になるという効果が得られる。
また、ベース布地及び模様部分全体を覆うように透かし布を設けたことで、透かし布を通して下の模様部分が強調されたり、あるいは見る角度により無地の布のように見える等、見え方が変化し、しかも見た目が柔らかで、品が良いものとなるので、従来の縫製では到底不可能なデザイン性に優れた製品が実現できるという効果が得られる。
【図面の簡単な説明】
【０００７】
【図１】第１の実施例を示す部分側断面図
【図２】第１の実施例を示す部分正面図
【発明を実施するための形態】
【０００８】
以下、図面を参照して本発明による模様付き織布の実施例を説明する。
【実施例１】
【０００９】
図１は第１の実施例を示す部分側断面図、図２は第１の実施例を示す部分正面図で、図において１はベース（土台）となる布地（以下ベース布地）、２はベース布地１上に設けられた模様部分、３はベース布地１及び模様部分２全体を覆うように設けられた模様部分透かし布、４は接結部である。
【００１０】
ここで、ベース布地１はスカートやブラウス等の衣類やカーテン等のベースとなるもので、模様部分２は動植物等の自然物や乗り物等の人工物あるいは幾何学的な図形等の各種の絵柄の織物部分、透かし布３は織り目を荒くするか極細の糸を使用することで反対側が透けて見えるように織り上げた布、接結部４はベース布地１と模様部分２と透かし布３を結合している部分であり、これらはジャカード織機やドビー織機により模様付き織布として一体的に織り上げられ、製造されている。
【００１１】
上述した構成の作用として製造手順を説明すると、ベース布地１を織りながら、ベース布地１上の所望の位置に模様部分２を重ねて織り、その上に透かし布３を同時に織ってゆく。更に、ベース布地１と模様部分２境界の部分つまり模様部分２の外縁部分でベース布地１と模様部分２と透かし布３を接結し、これらを所定の幅、長さに織り上げることで模様付き織布を形成するものである。
【００１２】
このように形成される模様付き織布は、ジャカード織やドビー織により、厚みのある模様部分２として、図２に示したように大きな花や小さな花等の文様を任意に織り上げることができ、それに合わせて接結部４も綺麗に仕上げることが可能である。
また、ベース布地１及び模様部分２全体を覆うように透かし布３を設けたことで、透かし布３を通して下の模様部分２が強調されたり、あるいは見る角度により無地の布のように見える等、見え方が変化し、しかも見た目が柔らかで、品が良いものとなる。
【００１３】
以上説明したように、第１の実施例では、ベース布地１と、ベース布地１上に設けられた模様部分２と、ベース布地１及び模様部分２全体を覆うように設けられた透かし布３と、ベース布地１と模様部分２の境界の部分でベース布地１と模様部分２と透かし布３を接結する接結部４をジャカード織機やドビー織機により一体的に織り上げた構成としているため、ベースとなる布地に複雑な文様を形成する場合でも、縫製に比べて容易に短時間にかつ安価に製造することが可能になるという効果が得られる。
【００１４】
また、ベース布地１及び模様部分２全体を覆うように透かし布３を設けたことで、透かし布３を通して下の模様部分２が強調されたり、あるいは見る角度により無地の布のように見える等、見え方が変化し、しかも見た目が柔らかで、品が良いものとなるので、従来の縫製では到底不可能な安価でデザイン性に優れた製品が実現できるという効果が得られる。
【符号の説明】
【００１５】
１    ベース布地
２    模様部分
３    透かし布
４    接結部
【図１】
2013237940.tif 000003
【図２】
2013237940.tif 000004
(57)【要約】【課題】  この発明は、自動車の座席を倒して、休息等に使用するとき、座席の配置や座席の形状により、上面に凹凸が出来、快適に座るあるいは横たわることが出来ない欠点を解消するものであり、本発明の装置を設置することにより、略略水平な平面が出来、快適に利用できるものである。【解決手段】空気を出し入れすることが出来、収納するときは小さくすることが出来、使用するときは空気を入れて膨らませることが出来る、風船様の中空の可撓性の材質から出来た装置、あるいは、膨らんだ状態ではスポンジ状で有り、押し縮める事により、あるいは筒状に丸めることにより、内部の空気が抜けて、小型になる、弾力性のある物質より成る装置を提案している。これらの装置は、もし、シートが突で有れば、略略、凸部を包むような凹形状をしており、シートが凹形状の部分は、略略その奥部を埋めるように凸部をなす  。【選択図】図１
2013237445.tif 000002
【特許請求の範囲】
【請求項１】
自動車の座席を倒した状態で、座席の凸部には、凹部が、座席の凹部には、凸部が対応するように成形し、上面は平面をした、可撓性の自動車のシートを平面化する装置。
【請求項２】
該装置は、風船状の物からなり、空気を出し入れ可能な自動車のシートを平面化する装置。
【請求項３】
該装置は、スポンジ様の物からなり、スポンジ内の空気を押し縮める事により抜くことが出来る自動車のシートを平面化する装置。
【発明の詳細な説明】
【技術分野】
【０００１】  この発明は、自動車のシートを平面化する装置に関するものである。
【背景技術】
【０００２】  近年、自動車に寝泊まりして旅行する人が増えている。宿泊代が無料になり、効率的に旅行できるという利点がある。
しかし、現在販売されている自動車は、後席シートを倒したり、前席シートを倒したりすることにより、出来るだけ平面にする工夫がされているものが有る程度である。あるいは、有る隙間を埋めるように緩衝材を入れるものであった。
自動車のシートは、第一の目的は、走行時に安定して座れ、安全に座れることであるから、シートには、凹凸があり、着座姿勢の人間の体に合うように設計されている。この様なシートを倒しても、凹凸があり、睡眠・休息を取るには、快適では無かった。
【先行技術文献】
【特許文献】
【０００３】
【特許文献１】
【発明の概要】
【発明が解決しようとする課題】
【０００４】  本発明は、上記不具合を無くし、睡眠を取るあるいは休息するときに凹凸を無くし快適に横たわることが出来るように、一体的に成形され、シートの上に配置する装置を提案するものである。
【課題を解決するための手段】
【０００５】  上記目的を達成するために、本発明では、空気を出し入れすることが出来、収納するときは小さくすることが出来、使用するときは空気を入れて膨らませることが出来る、風船様の中空の可撓性の材質から出来た装置、あるいは、膨らんだ状態ではスポンジ状で有り、押し縮める事により、あるいは筒状に丸めることにより、内部の空気が抜けて、小型になる、弾力性のある物質より成る装置を提案している。これらの装置は、もし、シートが突で有れば、略略、凸部を包むような凹形状をしており、シートが凹形状の部分は、略略その奥部を埋めるように凸部をなしているものである。
【発明の効果】
【０００６】  上記のように、シートを倒した状態で、シートが形成する凹凸を無くしほぼ平面にすることにより、快適に横たわることが出来るようになる。また、該装置は空気を抜くあるいは、押し縮める頃により小型にすることが出来、収納しやすくなるものであり、自動車の荷物室などに収納しやすく成るものである。
【図面の簡単な説明】
【０００７】
【図１】本発明を示す、自動車のシートを倒したときのシート部の部分透視図である。
【図２】図１の断面Ａ−Ａを示す、断面図である。
【図３】座席を水平方向に倒した状態の座席を示した概略図である。
【発明を実施するための形態】
【０００８】以下、本発明の実施の形態について説明する。
図１は、休憩するために、自動車を停止させ、座席の背をサポートする部分を水平方向に倒した状態の座席に本発明のシートを平面化する装置を設置した状態を示している。説明をわかりやすくするために、本発明の装置を設置する以前の状態を図３に示した。図中１は、自動車のフロアを示している。２は前部座席とフロアおよびダッシュボード（不図示）との空隙を示している。３は、前部座席と後部座席の空隙を示している。図４は後部座席の後部のフロア及び後部座席の後方に位置する車体の空隙（不図示）を示している。５は前部座席を５αは前部座席の座面中央部の凹部を５ｂは前部座席のヘッドレストの中央部の凹部を示している。前部座席は当然、運転席と助手席の２つが設置されている。６は後部座席で有り、６αは後部座席の座面中央部の凹部を６ｂは後部座席のヘッドレストの中央部の凹部を示している。後部座席も、同様の座席が、２つあるいは３つ並んで居るものである。図のように、座席を水平方向に倒しても、平らにはならず、隙間が多数出来る。
図３の状態では、横になって休む場合などに、凹凸が出来、ごつごつして快適では無い。図１の７は、本発明の装置を示したものである。７１は前部座席とフロアとダッシュボードの間の隙間を埋めるように形作られた凸部分である。７２は前部座席と後部座席とフロアの凹部を埋めるように凸状となっている凸部分である。７３は後部座席とフロアと後部座席の後方に位置する車体の空隙を埋めるように凸状となっている凸部分である。７４は前部座席の中央部の凹部を埋めるように凸状になされた凸部である。７５は前部座席のヘッドレストの凹部を埋めるように、凸状となされている凸部分である。７６は、後部座席の中央部の凹部を埋めるように凸状になされた凸部である。７７は、後部座席のヘッドレストの凹部を埋めるように、凸状となされている凸部分である。
本発明による装置の上面７８は略略水平になるようになされている。
本発明による装置は、例えば全体が風船状の物で出来ている。収納時は小型になり、使用時は空気を注入することにより、必要な凸部が形成され、設置可能となる。あるいは、スポンジ状の物でも良い。小さくたたむか、材質によってはスポンジの内部の空気を抜いて小さくたたむことが出来る。この様に小さくたたむことが出来ることが本発明の重要な点であり、自動車に積んで容易に運ぶことが出来る。また、利用時のクッション性も得ることが出来る。
【符号の説明】
【０００９】１自動車のフロア
２前部座席とフロアおよびダッシュボード（不図示）との空隙
３前部座席と後部座席の空隙
４後部座席の後部のフロア及び後部座席の後方に位置する車体（不図示）の空隙
５前部座席
６後部座席
７１，７２，７３，７４，７５，７６，７７本発明の装置の凸部
７８本発明の装置の上面
【図１】
2013237445.tif 000003
【図２】
2013237445.tif 000004
【図３】
2013237445.tif 000005
(57)【要約】      （修正有）【課題】粉体を残らず排出し、定量、連続両用の排出が可能な定量排出器を提供する。【解決手段】容器本体１にスロープを形成し底部に排出口を設け定量体を連結させ定量体に定量排出口と連続排出口を設ける構成をした。これにより粉体を残らず排出するとともに定量連続排出の両用が可能な定量排出器を提供できる。【選択図】図１
2013237488.tif 000002
【特許請求の範囲】
【請求項１】
粉体が収納される容器本体とこの容器本体の流出口に連結された定量体で形成された定量排出器
【請求項２】
容器本体内にスロープを形成し底部に流出口を設けた請求項１記載の定量排出器
【請求項３】
定量体は容器本体と流入口で連結され定量室が形成され定量排出口と連続排出口が設けられた請求項１又は２記載の定量排出器
【請求項４】
定量排出口と連続排出口を錘りで開閉する開閉弁を取り付けた請求項１〜３記載の定量排出器
【発明の詳細な説明】
【技術分野】
【０００１】  本発明は粉体等たとえばコーヒー、砂糖、塩などの定量取り出しを可能にする定量排出器に関する。
【背景技術】
【０００２】  従来定量排出器としては中央部に一定のノズルを貫通させた蓋部材を容器本体の開口部に取り付けたものがあり容器本体を傾けることにより一定の粉体がノズルを通じて排出されるものが広く利用されている。
【発明の開示】
【発明が解決しようとする課題】
【０００３】  従来の定量排出器では粉体を残らず排出することができなかった。又毎回定量しか排出できないため連続的に排出する場合不便であった。【０００４】  本発明は従来の構成が有している問題を解決しようとするものであり、粉体を残らず排出するとともに定量排出、連続排出の両用を可能とする定量排出器を実施することを目的とするものである。
【課題を解決するための手段】
【０００５】  そして本発明は上記目的を達成するために容器本体内にスロープを形成し該底部に流出口を設け定量体の流入口とで連結させる。定量体は粉体を充填する定量室を形成し粉体を排出する定量排出口と連続排出口を設けたものである。【０００６】  上記第１の課題解決手段による作用は次のとおりである。容器内の粉体はスロープ上を滑落し該底部の排出口に集合し残らず排出される。【０００７】  第２の解決手段による作用は定量体の定量排出口を使用する場合一定量排出し連続排出口を使用する場合連続排出される。
【発明の効果】
【０００８】  上述したように本発明の定量排出器は粉体を残らず排出するとともに定量排出、連続排出の両用が可能な定量排出器を提供できる。
【発明を実施するための最良の形態】
【０００９】  以下本発明の実施の形態を図１〜図６に基づいて説明する。【００１０】  図において１は容器本体でスロープ１ａが形成され流出口１ｂが設けられている。【００１１】  ２ａは１面で２ｂは他面でありともに粉体と空気の界面である。【００１２】  ３は定量体で粉体が流入する流入口３ｂ、粉体が充填される定量室３ａ、定量排出する定量排出口３ｃ連続排出する連続排出口３ｄで形成される。また錘４ａで作動する開閉弁４は粉体の漏出を防ぎストッパー４ｂで係止される。【００１３】  以下上記構成の動作を説明する。容器本体１を定量体３が下部に位置するように図２のように横に傾けると粉体がスロープ１ａを滑落し流出口１ｂから流入口３ｄを通過し定量室３ａに充填される。容器本体１を元に起こすと図３のように１面２ａが降下し定量体３に粉体は流入されず定量の粉体が錘４ａで作動する開閉弁４が開き定量排出口３ｃから定量排出される。次に容器本体１を図４のように倒立させると他面２ｂが降下し粉体がスロープ１ａを滑落し流出口１ｂから流入口３ｄを通じ連続的に連続排出口３ｄにより排出する開閉弁４は使用しない排出口をストッパー４ｂで係止するとよい。以上のように本実施形態によれば、粉体を残らず排出し、定量連続両用の排出が可能になるものである。
【図面の簡単な説明】
【００１４】
【図１】本発明の実施形態を示す定量排出器のＡ−Ａ線断面図
【図２】同定量排出器横に傾けた同線断面図
【図３】同定量排出器を元に起こした同線断面図
【図４】同定量排出器を倒立させた同線断面図
【図５】同定量体の同線断面図
【図６】概略図
【符号の説明】
【００１５】１    容器本体
１ａ  スロープ
１ｂ  流出口
２ａ  １面
２ｂ  他面
３    定量体
３ａ  定量室
３ｂ  流入口
３ｃ  定量排出口
３ｄ  連続排出口
４    開閉弁
４ａ  錘
４ｂ  ストッパー
【図１】
2013237488.tif 000003
【図２】
2013237488.tif 000004
【図３】
2013237488.tif 000005
【図４】
2013237488.tif 000006
【図５】
2013237488.tif 000007
【図６】
2013237488.tif 000008
(57)【要約】【課題】本発明はストロー付飲料容器において飲み易さの向上を提供する。【手段】ストローぐち（２）を２つ設ける。【選択図】図１
2013237489.tif 000002
【特許請求の範囲】
【請求項１】
ストローぐちを２つ有する飲料容器
【発明の詳細な説明】
【発明の詳細な説明】
【発明が解しようとする課題】
【０００１】従来の容器ではストローで吸うと内部気圧が下がり飲みづらい。
【課題を解決する手段】
【０００２】（２）のストローぐちを２つ設ける。
【発明の効果】
【０００３】ストローぐちを２つ設ける事により内外気圧が同一となり飲み易い。
【図面の簡単な説明】
【図１】本発明の斜視図
【符号の説明】（１）容器  （２）ストローぐち
【図１】
2013237489.tif 000003
(57)【要約】【課題】  本発明は、工事現場で腰バンドに工具を収納するためのホルダーで、腰ベルトに通しの長穴の開いた金具の下部に、工具をぶら下げるためのカラビナを水平に取り付けた工具ホルダーを提供する。【解決手段】  腰ベルトに通しの長穴の開いた金具（１）の下部に、工具をぶら下げるためのカラビナ（２）を水平に取り付けた工具ホルダー。【選択図】図１
2013237142.tif 000002
【特許請求の範囲】
【請求項１】
腰ベルトに通しの長穴の開いた金具の下部に、工具をぶら下げるためのカラビナを水平に取り付けた工具ホルダー。
【発明の詳細な説明】
【技術分野】
【０００１】  本発明は、工事現場で腰バンドに工具を収納するためのホルダーで、腰ベルトに通しの長穴の開いた金具の下部に、工具をぶら下げるためのカラビナを水平に取り付けた工具ホルダーに関するものである。
【背景技術】
【０００２】  現場では、職人が腰バンドに、使用する多くの工具を使い易いよう配置し、かつ、落下させない工夫が要望されていた。
市場には、様々な工具ホルダーが市販されているが、満足できる物ばかりではない（特許文献１参照）。
【先行技術文献】
【特許文献】
【０００３】
【特許文献１】  登録実用新案第３０３４１４４号公報
【発明の概要】
【発明が解決しようとする課題】
【０００４】  従来、現場では、多くの工具を使用、いろいろな体勢で作業をする際、腰バンドの限られたスペースに工具を使いやすい配置で取り付ける。
なおかつ、無理な体勢でも工具を落下させない工夫が要求される。
本発明は、発明者が市販されている物では満足できず、自ら製作し、使用し続けてきた物である。
現在、市販されているカラビナ付きの工具ホルダーは、腰ベルトに通す金具に対して直角に固定してあり、複数の工具をぶら下げると重なり合うため下の工具を取り出す際に、上の工具を一度外さないと取り外しが困難であった。
以上のような問題を解決できる。
【課題を解決するための手段】
【０００５】  ベルト通しの長穴の開いた金具に、カラビナを固定する。
【発明の効果】
【０００６】  特許文献の物と比較して、複数の工具を取り付けても重なり合うことがないため、工具の取り出しがスムーズで、なおかつ外れにくい。
カラビナを、腰ベルトに通す金具に対して水平に取り付けたことで複数の工具が重ならずに並ぶことで取り外しが楽になる。
本発明は、複数の工具を取り付けても重なり合わない工具ホルダーである。
【図面の簡単な説明】
【０００７】
【図１】  本発明の使用状態を示した斜視図である。
【発明を実施するための形態】
【０００８】  以下、本発明の実施の形態を説明する。
腰ベルトに通すための金具（１）の下部に、工具をぶら下げるためのカラビナ（２）を固定する。
本発明は以上のような構造である。
本発明を使用するときは、金具（１）を腰ベルト（４）に通して使用しやすい場所に配置する。
工具をぶら下げるためのカラビナ（２）の開閉部（３）に使用する工具Ａ（５）、および、工具Ｂ（６）を取り付けることで、無理な体勢で作業をしても工具が落下しない。
１〜３個までの工具であれば、取り付け、取り外しの際にストレスなく目的の工具を選び使用することができる。
【符号の説明】
【０００９】  １  腰ベルトに通す金具
２  工具をぶら下げるためのカラビナ
３  開閉部
４  腰ベルト
５  工具Ａ
６  工具Ｂ
【図１】
2013237142.tif 000003
(57)【要約】      （修正有）【課題】現状案よりも安全で確実な廃棄物の処分方法を提供する。【解決手段】大陸プレ−ト１の下に沈み込む海洋プレ−トあるいは陸地プレ−ト２に、所定の大きさで所定の深さの穴４を掘り、この穴４の中に廃棄物５を埋設して処分することを特徴とする廃棄物５の処分方法を提供することにより、この課題を解決する。【選択図】図１
2013237034.tif 000002
【特許請求の範囲】
【請求項１】
大陸プレ−トの下に沈み込む海洋プレ−トあるいは陸地プレ−トに、所定の大きさで所定の深さの穴を掘り、この穴の中に廃棄物を埋設して処分することを特徴とする廃棄物の処分方法。
【請求項２】
前記廃棄物は放射性廃棄物であることを特徴とする請求項１記載の廃棄物の処分方法。
【請求項３】
前記廃棄物は産業廃棄物であることを特徴とする請求項１記載の廃棄物の処分方法。
【発明の詳細な説明】
【技術分野】
【０００１】  本発明は、放射性廃棄物や産業廃棄物の処分方法に関するものである。
【背景技術】
【０００２】  現在、世界中で使用済み核燃料の処分方法が問題となっている。【０００３】  我国においては、低レベル放射性廃棄物は、地下１０メ−トル程度への埋設処分が実施されているが、高レベル放射性廃棄物については、地下３００メ−トル以上の深層に埋設処分する方針であるが、長期保存への不安があって最終処分地は決まらず、大量の使用済み核燃料が各地の原子力発電所に保管されている。【０００４】  ＰＣＢやアスベスト等の処分方法も解決しなくてはならない課題である。
【発明の概要】
【発明が解決しようとする課題】
【０００５】  本発明は、これらの課題を解決し、現状案よりも安全で確実な廃棄物の処分方法を提供する目的からなされたものである。
【課題を解決するための手段】
【０００６】  上記の課題を解決する本発明は、以下の通りである。
大陸プレ−トの下に沈み込む海洋プレ−トあるいは陸地プレ−トに、所定の大きさで所定の深さの穴を掘り、この穴の中に廃棄物を埋設して処分することを特徴とする廃棄物の処分方法を提供できたものである。
【発明の効果】
【０００７】  地震や火山活動の原因解明の研究によって、プレ−トテクトニクス理論が生まれ、更に地震波トモグラフィ−が発展した結果、地球の内部構造が解明されてきた。【０００８】  地震は大陸プレ−トの下に沈み込む海洋プレ−トあるいは陸地プレ−ト間に生じる応力歪みによって発生する事や地表の特定域でマントルに沈み込むプレ−トがあり、最終的に地球内部で溶けていくメカニズムが解明されている。【０００９】  本発明は地球内部が持つ超高温溶解炉の機能と、この超高温溶解炉に廃棄物を運搬できる地表の移動するプレ−トに着眼してなされたものである。【００１０】  東日本大震災は陸側の北アメリカプレ−トとその下に沈み込む太平洋プレ−ト間に生じる応力歪みによって発生したものではあるが、太平洋プレ−トは年間約１０センチメ−トル西側に移動する主にケイ酸塩の岩石からなる構造的に安定したプレ−トであり、地球上でも数少ない下降流のマントルに沈み込むプレ−トであることが解明されている。【００１１】  年間約１０センチメ−トルで移動するプレ−トに埋設した廃棄物が深さ１００キロメ−トル以上沈み込むには、約１００万年以上経過するので、仮に、未処理の高レベル放射性廃棄物でも天然ウランと同程度の有害度に低下できる安全な処分方法である。【００１２】  深さ約６６０キロメ−トルにスタグナントスラブと呼ばれる領域があるとされ、プレ−トに埋設した廃棄物がこの領域に到達するまでには、少なくても７００万年以上、更に高温高圧にさらされてスタグナントスラブが外核の表面に崩落していくには１億年以上と推定でき、この時間軸においては、放射線の有害性は消滅していると考えられる。【００１３】  本発明は東日本大震災、福島第一原子力発電所事故を契機に、使用済み核燃料の処分は国際的課題であり、地震発生のメカニズムと我国特有の海洋プレ−ト構成を冷静に見つめ直した結果、南北に長く連なりマントルに沈み込む広大な太平洋プレ−トとフィリピン海プレ−トに囲まれた我国は、これらのプレ−トを活用した新たな廃棄物の処分方法を世界に先駆けて構築でき貢献できる、また海底資源の活用と海底調査は我国にとって極めて重要であり、新たなビジネスチャンスも生まれる、そんな思いからなされたものであり、それを可能とするものである。
【図面の簡単な説明】
【００１４】
【図１】  本発明の実施例を図式化した断面図である。
【発明を実施するための形態】
【００１５】  以下、本発明の実施の形態を図面に基づき詳細に説明する。
【００１６】  図１は、本発明の実施例を図式化した断面図で、大陸プレ−ト（１）の下に沈み込む海洋プレ−トあるいは陸地プレ−ト（２）に、直径１メ−トル、深さ２００メ−トル程度の穴（４）を掘り、この穴（４）の中に廃棄物（５）を容器に収納して埋設し、周囲をコンクリ−ト等の埋設物（６）で埋めた実施例である。
【００１７】  現在、高レベル放射性廃棄物はガラス固化体を、直径数十センチメ−トル、長さ約１メ−ルの金属性容器に収納して地下深層部に埋設する方針であるが、製造直後のガラス固化体の発熱量は非常に大きく、埋設前３０〜５０年間は冷却して保存しなくてはならない。
【００１８】  本発明において、陸地プレ−トへの埋設は穴掘り作業は容易であるが、前記同様の待機冷却処置が必要となると思われるが、海洋プレ−トへの埋設は穴掘り作業は困難である反面、収納容器に所作を講ずることで海水での冷却が可能と考えられる。
【００１９】  本発明の実施において、特に放射性廃棄物に関しては、以下の項目について十分な研究と検討がなされなくてはならない。
１、埋設する穴の大きさと深さ及び穴間の距離及び分布。
２、１穴あたりの最大許容廃棄量。
３、収納容器の大きさ・厚さ・材質・形状。
４、崩壊熱の放熱方法。
５、廃棄物の埋設方法・埋設工法・埋設物の材質。
６、経年変化のモニタリング方法。
７、埋設周辺の環境測定。
８、突発的事故に対する対策。
【符号の説明】
【００２０】    １  大陸プレ−ト
２  海洋プレ−トあるいは陸地プレ−ト
３  マントル
４  穴
５  廃棄物
６  埋設物
７  プレ−トの移動方向
【図１】
2013237034.tif 000003
(57)【要約】【課題】  雨水などを手軽に低コストで浄化するための新しい浄化用マットを提供する。【解決手段】  網状平面体（２）と網状立体（３）とを交互に並列した複合体を袋状体（１）に封じそれらの空隙に粒度の異なる複数種の粉粒集合体が充満されている浄水用マット。【選択図】図１
2013237032.tif 000002
【特許請求の範囲】
【請求項１】
多数の透過孔を有する網状平面体と、多数の透過孔を有しかつその表面に多数の突起を持つ網状立体とが交互に並列した複合体であって、該複合体が微細繊維不織布で構成されている四囲が閉じられた袋状体の中に封入されており、且該袋状体に封入されている複合体の形成する空隙に粒度の異なる複数種の粉粒集合体が充満されていることを特徴とする浄水用マット。
【請求項２】
空隙に充満されている粉状粒状集合体が、炭化された鋳物砂と活性炭の混合物であることを特徴とする請求項１に記載する浄水用マット。
【請求項３】
交互に並列した複合体が、螺旋円盤状を構成していることを特徴とする請求項１及び請求項２に記載する浄水用マット。
【発明の詳細な説明】
【技術分野】
【０００１】  この発明は、雨水や地下水などに含まれている混合物を除去する浄水用マットに関するものである。
【背景技術】
【０００２】  一般に、自然界に存在する水には、土砂塵埃などの異物が混在分散している。即ち雨水は降雨に際して空中に浮遊する諸物体を取り込むし、更には降り注いだ屋根に堆積する塵埃などの混入が見込まれる。また地下水などでも、地表や土中に蓄積している諸物体を含んでいることも多い。これらは飲料としては勿論のこと庭園や田畑の散水に使用するにしてもその混在している諸物体の内容によっては除去することが必要なこともある。分離する水の用途によって、求められる水の純度や諸物体の許容できる残留量なども異なり、それぞれに適合する浄水処理方法が必要である。特に散水用に用いられる雨水などは、手軽にかつ低コストで浄水処理する方法が求められる。
【発明の概要】
【発明が解決しようとする課題】
【０００３】  本発明はこのような現状に鑑み、雨水などを手軽に低コストで浄化するための新しい方法である浄水用マットを提供するものである。
【課題を解決するための手段】
【０００４】  浄水材を、繊維若しくは合成樹脂で多数の透過孔を有する網状平面体と、繊維若しくは合成樹脂で多数の透過孔を有し，かつその表面に多数の突起を持つ網状体とが、交互に並列した複合体であって、該複合体が微細繊維不織布で構成されている四囲が閉じられた袋の中に封じ込められているマット状体であって、該マット状体の中に緻密な微粉体の吸着性能の高い浄水材料とやや粒度の高い浄水材料を混合した粉粒体浄水材が封入されている浄化用マットは、水の中に諸物体を含む雨水や地下水をそのマットの中を透過させることによって諸物体と水を分離することが出来る。
【発明の効果】
【０００５】  浄水材料が緻密な粉体の場合は浄化すべき水を浄水材料の厚い層を透過させると透過のための圧力損失が大きくなり、透過が著しく困難となる。浄水材料が２種の粒度の異なる混合体であれば、この中を透過するための圧力損失が低減し浄化のための透過がより容易となる。また、繊維若しくは合成樹脂で多数の透過孔を有する網状平面体と繊維若しくは合成樹脂で多数の透過孔を有し，かつその表面に多数の突起を持つ網状体とが交互に並列した複合体であれば、繊維や樹脂などによって多数の小部屋と空隙が形成され、各小部屋のそれぞれに浄化材料が分散充填されてより効果的な浄化相を作ることが出来る。更に極細繊維不織布などで形成されている四囲を閉じた袋体に収納することによって水だけが分離して排出され、浄化が更に進行するのである。網状平面体と突起を持つ網状体を積層することによって、層間層内に形成された空隙は形状安定したものとなり、充満する粉状粒状集合体の流動が抑制され、安定した浄水が可能となる。
【図面の簡単な説明】
【０００６】
【図１】本発明の例を示す平面図である。
【図２】本発明の例を示す側面図である。
【発明を実施するための形態】
【０００７】  合成樹脂網状体であって、目合いのピッチはたてよこ共１．５ｍｍ、網の開口率約５０％の網状体と、ほぼ同一の目合いで表面に高さ１０ｍｍの多数の突起を有する網状立体で、それぞれ幅５０ｍｍの帯状のものが交互に並列し、螺旋をなして外径２５０ｍｍの円盤状となり周囲を合成繊維不織布の閉じた袋で覆い、袋の中に炭化した微粉の鋳物砂と小豆大の竹炭粒体を体積比１：１で混合した浄化材を充填し、本発明による浄化マットを得る。
【符号の説明】
【０００８】  １  袋状体
２  網状平面体
３  網状立体
【図１】
2013237032.tif 000003
【図２】
2013237032.tif 000004